(57)【要約】  【課題】クーリング対象機器を制御でき、電源オフの時に機器制御装置への電源供給を遮断して、電力消費を低減できる機器制御装置を提供する。  【解決手段】機器制御装置７において、電源部３１は、電源制御装置５から電源供給を受ける。機器制御部であるＣＰＵ部３３は、操作部３７に対して電源オフ操作が行われたときに、クーリング対象機器であるプロジェクタ３にクーリングを行わせる。第１電源制御装置制御部４１は、クーリングが終了したと判断されたときに、電源制御装置５に電源の供給停止を指示する。第２電源制御装置制御部４３は、操作部３７に対して電源オン操作が行われたときに、電源制御装置５に電源の供給開始を指示する。２つの制御部が、クーリング期間中の機器制御装置への電源供給と、電源遮断後の機器制御装置の起動とを両立しながら、電源オフの時に機器制御装置への電力供給を停止可能にする。【選択図】  図１
2009065335.tif 000002
【特許請求の範囲】
【請求項１】
電源をオフにする時にクーリングが必要なクーリング対象機器に接続されるとともに、前記クーリング対象機器に電源を供給する電源制御装置に接続され、前記クーリング対象機器および前記電源制御装置を制御する機器制御装置であって、
前記電源制御装置から電源供給を受けるように前記電源制御装置に接続可能な電源部と、
電源オン操作及び電源オフ操作を受け付ける操作部と、
前記操作部に対して電源オフ操作が行われたときに、前記クーリング対象機器にクーリングを行わせるとともに、クーリングの終了を判断する機器制御部と、
クーリングが終了したと判断されたときに、前記電源制御装置に電源の供給停止を指示する第１電源制御装置制御部と、
前記操作部に対して電源オン操作が行われたときに、前記電源制御装置に電源の供給開始を指示する第２電源制御装置制御部と、
を備えたことを特徴とする機器制御装置。
【請求項２】
前記第２電源制御装置制御部は、前記操作部への電源オン操作に応じて機械的に動作することによって電源の供給開始指示の信号を生成することを特徴とする請求項１に記載の機器制御装置。
【請求項３】
前記第１電源制御装置制御部は、前記クーリング対象機器のクーリングが行われた後に前記機器制御部からの制御に応じて電気的に動作することによって電源の供給停止指示の信号を生成することを特徴とする請求項１または２に記載の機器制御装置。
【請求項４】
前記機器制御部は、前記クーリング対象機器と通信してクーリング終了の問い合わせを行い、前記クーリング対象機器からクーリング終了が通知されたときにクーリングが終了したと判断することを特徴とする請求項１乃至３のいずれかに記載の機器制御装置。
【請求項５】
前記電源制御装置へと電源の供給開始指示および供給停止指示の信号を出力する外部機器制御信号出力部を備え、
前記機器制御部は、電気的処理によって前記クーリング対象機器を制御するプロセッサを有しており、
前記第１電源制御装置制御部は、前記プロセッサによりクーリング終了側に切り替えられる電気的スイッチを有し、
前記第２電源制御装置制御部は、操作部への電源オン操作および電源オフ操作に応じてオン操作側およびオフ操作側に機械的に切り替わる機械的スイッチを有し、
前記外部機器制御信号出力部は、前記機械的スイッチがオフ操作側に切り替わり、前記電気的スイッチがクーリング終了側に切り替わると、電源供給停止指示に対応した第１制御信号を出力し、前記機械的スイッチがオン操作側に切り替わると、電源供給開始指示に対応した第２制御信号を出力することを特徴とする請求項１乃至４のいずれかに記載の機器制御装置。
【請求項６】
前記電源制御装置が前記機器制御装置に内蔵されたことを特徴とする請求候１乃至５のいずれかに記載の機器制御装置。
【請求項７】
電源をオフにする時にクーリングが必要なクーリング対象機器と、前記クーリング対象機器に電源を供給する電源制御装置と、前記クーリング対象機器および前記電源制御装置を制御する機器制御装置とを備えた機器制御システムにおいて、
前記機器制御装置は、
前記電源制御装置から電源供給を受けるように前記電源制御装置に接続可能な電源部と、
電源オン操作及び電源オフ操作を受け付ける操作部と、
前記操作部に対して電源オフ操作が行われたときに、前記クーリング対象機器にクーリングを行わせるとともに、クーリングの終了を判断する機器制御部と、
クーリングが終了したと判断されたときに、前記電源制御装置に電源の供給停止を指示する第１電源制御装置制御部と、
前記操作部に対して電源オン操作が行われたときに、前記電源制御装置に電源の供給開始を指示する第２電源制御装置制御部と、
を備えたことを特徴とする機器制御システム。
【請求項８】
電源をオフにする時にクーリングが必要なクーリング対象機器に接続されるとともに、前記クーリング対象機器に電源を供給する電源制御装置に接続され、前記クーリング対象機器および前記電源制御装置を制御する機器制御装置による機器制御方法であって、
前記電源制御装置から電源供給を受けるように前記機器制御装置を前記電源制御装置に接続し、
操作部に対する電源オン操作及び電源オフ操作を受け付け、
前記操作部に対して電源オフ操作が行われたときに、前記クーリング対象機器にクーリングを行わせ、
クーリングが終了したと判断されたときに、前記電源制御装置に電源の供給停止を指示し、
前記操作部に対して電源オン操作が行われたときに、前記電源制御装置に電源の供給開始を指示することを特徴とする機器制御方法。
【発明の詳細な説明】
【技術分野】
【０００１】
本発明は、電源をオフにする時にクーリングが必要なクーリング対象機器を制御する機器制御装置に関する。
【背景技術】
【０００２】
従来、制御対象機器とそれを制御する機器制御装置を備えた機器制御システムが各種の分野で利用されている。そして、環境問題等を考慮した省電力の要求を背景として、機器制御システムにおいても省電力化が求められる。
【０００３】
電力消費量を減らすためには、不使用時の電力消費を抑えることが有効である。例えば、特許文献１に開示の機器制御システムでは、上位装置の電源状態に応じて周辺機器の電源のオン／オフが自動的に制御され、これにより、電力消費が抑えられる。
【０００４】
ところで、制御対象機器の中には、電源をオフするときにクーリングが必要な機器がある。このような機器を、以下、クーリング対象機器と呼ぶ。クーリング対象機器の制御システムの場合は、クーリングの終了後に電源が自動的にオフにされる。典型的なクーリング対象機器としては、ビデオプロジェクタが挙げられる。そこで、以下の説明では、クーリング対象機器の例としてビデオプロジェクタを取り上げる。
【０００５】
図６は、従来の機器制御システムの構成例を示している。機器制御システム１０１は、ビデオプロジェクタ１０３（以下プロジェクタ１０３）と、プロジェクタ１０３に電源を供給する電源制御装置１０５と、ビデオプロジェクタ１０３および電源制御装置１０５を制御する機器制御装置１０７とを備えている。機器制御装置１０７は、例えば、ＡＶコントローラであり、ＡＶ機器等から入力される映像をビデオプロジェクタ１０３に出力する。
【０００６】
図６の構成においては、ＡＣ電源が常時電源１０９から電源制御装置１０５を介してプロジェクタ１０３へと供給される。機器制御装置１０７がＡＶコントローラである場合に、ＡＣ電源は電源供給装置１０５から他のＡＶ機器へも供給されてよい。また、機器制御装置１０７へは、常時電源１０９から直接にＡＣ電源が供給される。
【０００７】
機器制御装置１０７は、プロジェクタ１０３の電源オン／オフを制御する機能を有し、また、電源制御装置１０５による電源供給のオン／オフを制御する機能を有している。これらの機能を用いて、機器制御装置１０７は、以下のようにして、クーリングを考慮した電源オフの制御を行う。
【０００８】
機器制御装置１０７が電源オフになりスタンバイ状態に移行するときに、機器制御装置１０７はプロジェクタ１０３に電源オフを指示する。プロジェクタ１０３では、クーリング動作が行われ、それから電源がオフになる。機器制御装置１０７は、クーリング期間（固定時間）の間だけ待ち、それから、電源制御装置１０５を制御して電源供給をオフにする。これにより、プロジェクタ１０３と電源制御装置１０５の電源をオフにすることができる。
【特許文献１】特開平７−５９６２号公報
【発明の開示】
【発明が解決しようとする課題】
【０００９】
しかしながら、従来のクーリング対象機器の制御装置においては、クーリング対象機器の電源はオフにできても、機器制御装置自身への電源供給を遮断することはできず、無駄な電力が消費されるという問題があった。図６の例では、プロジェクタ１０３および電源供給装置１０５の電源はオフになっても、機器制御装置１０７へはＡＣ電源が常時電源１０９から継続的に供給されており、機器制御装置１０７はスタンバイ状態に維持され、そのため、無駄な電力が消費されてしまう。
【００１０】
上記の無駄な電力消費を抑えるためには、機器制御装置への電源供給を遮断することが有効である。ただし、制御対象がプロジェクタ等のクーリング対象機器である場合は、電源遮断の前提条件として、以下の２つの機能が確保されている必要がある。まず第１点として、機器制御装置は、クーリングを経てから電源制御装置をオフにする制御動作を行う必要があるので、クーリング期間中は電源供給を受け続けなくてはならない。第２点として、機器制御装置は、電源遮断状態で電源オン操作が行われたときに、機器制御装置自身への電源供給を再開し、起動できなければならない。
【００１１】
しかしながら、従来の機器制御装置は、上記の第１点の機能しか持っていない。すなわち、従来の機器制御装置は、クーリング期間中の電源供給能力と、電源遮断後の起動能力とを確保しながら、電源供給を遮断できる構成を有していなかった。そのため、図６の構成のように、機器制御装置を常時電源に直接接続し、機器制御装置への電源供給を継続しなければならなかった。
【００１２】
上記の要求に応えるために、図６のシステムに、手動のＡＣ電源オン／オフ制御装置を追加することも考えられる。この手動装置に対してクーリング後にオフ操作が行われ、起動時にオン操作が行われれば、上記の要求が満たされる。しかし、ＡＣ電源オン／オフ制御装置を追加することはシステム簡素化の上で不利であり、また、ＡＣ電源オン／オフ制御装置をわざわざ操作することはユーザにとって煩雑である。
【００１３】
本発明は、従来の問題を解決するためになされたもので、その目的は、クーリング対象機器を制御することができ、簡単な構成でもって、電源オフの時に機器制御装置への電源供給を遮断して、電力消費を低減できる機器制御装置を提供することにある。
【課題を解決するための手段】
【００１４】
本発明の機器制御装置は、電源をオフにする時にクーリングが必要なクーリング対象機器に接続されるとともに、前記クーリング対象機器に電源を供給する電源制御装置に接続され、前記クーリング対象機器および前記電源制御装置を制御する機器制御装置であって、前記電源制御装置から電源供給を受けるように前記電源制御装置に接続可能な電源部と、電源オン操作及び電源オフ操作を受け付ける操作部と、前記操作部に対して電源オフ操作が行われたときに、前記クーリング対象機器にクーリングを行わせるとともに、クーリングの終了を判断する機器制御部と、クーリングが終了したと判断されたときに、前記電源制御装置に電源の供給停止を指示する第１電源制御装置制御部と、前記操作部に対して電源オン操作が行われたときに、前記電源制御装置に電源の供給開始を指示する第２電源制御装置制御部とを備えている。
【００１５】
この構成により、機器制御装置の電源部が、電源制御装置から電源供給を受けるように電源制御装置に接続される。電源オフ操作に応じて機器制御部がクーリング対象機器にクーリングを行わせる。そして、クーリングの終了が判断されたとき、第１電源制御装置制御部が電源制御装置に電源の供給停止を指示すると、機器制御装置自身への電源供給が停止する。その後、操作部に対して電源オン操作が行われたときに、第２電源制御装置制御部が電源制御装置に電源の供給開始を指示すると、機器制御装置自身への電源供給も開始される。このような構成により、クーリング期間中の電源供給と、電源遮断後の機器制御装置の起動とを両方とも成り立たせながら、電源オフの時に機器制御装置への電力供給を停止できる。これにより、電源が供給されたスタンバイ状態で機器制御装置を待機させるのと比べて電力消費量が低減する。また、手動の電源オン／オフ制御装置を別途追加することも不要である。したがって、簡単な構成でもって、電源オフの時に機器制御装置への電源供給を遮断して、電力消費を低減できる。
【００１６】
また、本発明の機器制御装置において、前記第２電源制御装置制御部は、前記操作部への電源オン操作に応じて機械的に動作することによって電源の供給開始指示の信号を生成する。この構成により、第２電源制御装置制御部が機械的構成を有しているので、機器制御装置への電源供給が停止している状態でも、電源オン操作に応じて電源の供給開始の指示を電源制御装置に出力できる。したがって、電源遮断状態から機器制御装置自身への電源供給を開始でき、電源遮断後の起動が可能になる。
【００１７】
また、本発明の機器制御装置において、前記第１電源制御装置制御部は、前記クーリング対象機器のクーリングが行われた後に前記機器制御部からの制御に応じて電気的に動作することによって電源の供給停止指示の信号を生成する。この構成により、第１電源制御装置制御部が、機器制御部に制御される電気的構成を有している。したがって、瞬時に電源制御装置を停止するのではなく、クーリング対象機器でのクーリングを経てから電源制御装置を自動停止するといった制御を好適に実現することができる。
【００１８】
また、本発明の機器制御装置において、前記機器制御部は、前記クーリング対象機器と通信してクーリング終了の問い合わせを行い、前記クーリング対象機器からクーリング終了が通知されたときにクーリングが終了したと判断する。この構成により、クーリング完了を確認してから電源供給が遮断される。したがって、クーリング完了前に電源制御装置からクーリング対象機器への電源供給が停止することを防止でき、また、クーリング完了後もしばらく電源供給が継続することも防止でき、したがって電力消費を好適に低減できる。
【００１９】
また、本発明の機器制御装置は、前記電源制御装置へと電源の供給開始指示および供給停止指示の信号を出力する外部機器制御信号出力部を備え、前記機器制御部は、電気的処理によって前記クーリング対象機器を制御するプロセッサを有しており、前記第１電源制御装置制御部は、前記プロセッサによりクーリング終了側に切り替えられる電気的スイッチを有し、前記第２電源制御装置制御部は、操作部への電源オン操作および電源オフ操作に応じてオン操作側およびオフ操作側に機械的に切り替わる機械的スイッチを有し、前記外部機器制御信号出力部は、前記機械的スイッチがオフ操作側に切り替わり、前記電気的スイッチがクーリング終了側に切り替わると、電源供給停止指示に対応した第１制御信号を出力し、前記機械的スイッチがオン操作側に切り替わると、電源供給開始指示に対応した第２制御信号を出力する。この構成により、上記の電気的スイッチおよび機械的スイッチを備えた簡単な構成により、第１電源制御装置制御部および第２電源制御装置制御部を備えた本発明の機器制御装置を実現でき、クーリング期間中の機器制御装置への電源供給と、電源遮断後の機器制御装置の起動との両方を成り立たせながら、電源オフの時に機器制御装置への電力供給を停止でき、電力消費を低減することができる。
【００２０】
また、本発明の機器制御装置では、前記電源制御装置が前記機器制御装置に内蔵される。この構成により、機器制御装置を含む機器制御システムの構成を簡素化でき、コンパクトにできる。
【００２１】
本発明の別の態様は機器制御システムであり、この機器制御システムは、電源をオフにする時にクーリングが必要なクーリング対象機器と、前記クーリング対象機器に電源を供給する電源制御装置と、前記クーリング対象機器および前記電源制御装置を制御する機器制御装置とを備え、前記機器制御装置は、前記電源制御装置から電源供給を受けるように前記電源制御装置に接続可能な電源部と、電源オン操作及び電源オフ操作を受け付ける操作部と、前記操作部に対して電源オフ操作が行われたときに、前記クーリング対象機器にクーリングを行わせるとともに、クーリングの終了を判断する機器制御部と、クーリングが終了したと判断されたときに、前記電源制御装置に電源の供給停止を指示する第１電源制御装置制御部と、前記操作部に対して電源オン操作が行われたときに、前記電源制御装置に電源の供給開始を指示する第２電源制御装置制御部とを備えている。この構成によっても、上述した本発明の利点が得られる。
【００２２】
本発明の別の態様は機器制御方法であり、この機器制御方法は、電源をオフにする時にクーリングが必要なクーリング対象機器に接続されるとともに、前記クーリング対象機器に電源を供給する電源制御装置に接続され、前記クーリング対象機器および前記電源制御装置を制御する機器制御装置による機器制御方法であって、前記電源制御装置から電源供給を受けるように前記機器制御装置を前記電源制御装置に接続し、操作部に対する電源オン操作及び電源オフ操作を受け付け、前記操作部に対して電源オフ操作が行われたときに、前記クーリング対象機器にクーリングを行わせ、クーリングが終了したと判断されたときに、前記電源制御装置に電源の供給停止を指示し、前記操作部に対して電源オン操作が行われたときに、前記電源制御装置に電源の供給開始を指示する。この構成によっても、上述した本発明の利点が得られる。
【発明の効果】
【００２３】
上記のように、本発明は、クーリング期間中の機器制御装置への電源供給と、電源遮断後の機器制御装置の起動との両方を成り立たせながら、簡単な構成でもって、電源オフの時に機器制御装置への電力供給を停止でき、電力消費を低減することができるという効果を有する機器制御装置を提供できる。
【発明を実施するための最良の形態】
【００２４】
以下、本発明の実施の形態の機器制御装置について、図面を用いて説明する。
【００２５】
本発明の実施の形態に係る機器制御装置を含む機器制御システムを図１に示す。図１において、機器制御システム１は、ビデオプロジェクタ３（以下、プロジェクタ３）、電源制御装置５および機器制御装置７を備えている。
【００２６】
プロジェクタ３は、制御送受信部１１、ＣＰＵ部１３、クーリング部１５および電源部１７を備えている。制御送受信部１１は、機器制御装置７との間で制御関連の情報を通信する。ＣＰＵ部１３は、プロジェクタ３の全体を制御する構成である。ＣＰＵ部１３は、機器制御装置７の指示を制御送受信部１１経由で受け取り、機器制御装置７からの指示に従って動作する。クーリング部１５は、プロジェクタ３のクーリングのための装置であり、例えばファンで構成されている。クーリング部１５もＣＰＵ部１３により制御される。
【００２７】
なお、プロジェクタ３は、クーリング対象機器の一例である。本発明ではクーリング対象機器はプロジェクタ３に限定されない。クーリング対象機器は、電源オフのときにクーリングが必要な他の種類の機器でもよい。
【００２８】
電源制御装置５は、ＡＣ供給部２１およびＡＣ供給制御部２３で構成されている。電源制御装置５は、常時電源９と接続され、常時電源９からＡＣ電源の供給を受ける。そして、電源制御装置５のＡＣ供給部２１が、電源制御装置５に接続された機器へとＡＣ電源を供給する。本実施の形態では、図示のように、プロジェクタ３だけでなく機器制御装置７が電源制御装置５に接続される。したがって、機器制御装置７も電源制御装置５からＡＣ電源の供給を受ける。
【００２９】
また、ＡＣ供給制御部２３は、ＡＣ供給部２１を制御して、電源供給を開始および停止させる構成である。
【００３０】
具体的構成としては、常時電源９は、いわゆる電源コンセントに相当する。電源制御装置５は、電源コンセントと同様に接続機器の電源コードを接続可能な装置である。電源制御装置５には複数の機器を接続できる。ＡＣ供給制御部２３は、制御入力端子に接続されており、制御入力端子への制御信号に応じて、ＡＣ供給部２１を制御する。本実施の形態では、機器制御装置７が電源制御装置５を制御するので、制御信号は機器制御装置７から送られてくる。
【００３１】
次に、機器制御装置７の構成について説明する。機器制御装置７は、電源部３１、ＣＰＵ部３３および制御送受信部３５を有している。
【００３２】
電源部３１は電源制御装置５から供給される電源を機器制御装置７の全体に供給する。本実施の形態の機器制御システム１では、電源部３１が電源制御装置５に接続される。具体的には、電源部３１が機器制御装置７の電源コードに接続されており、電源コードのプラグが、電源制御装置５の差込口へと差し込まれる。
【００３３】
ＣＰＵ部３３は、機器制御装置７の全体を制御する。また、ＣＰＵ部３３は、本発明の機器制御部に相当しており、プロジェクタ３を制御する。制御用の信号は、制御送受信部３５を介してプロジェクタ３へ送られる。制御送受信部３５は例えばＲＳ２３２Ｃの通信部である。ＣＰＵ部３３は、制御送受信部３５を利用した通信制御により、プロジェクタ３にクーリングを行わせるとともに、クーリングの終了を判断する。
【００３４】
また、機器制御装置７は、操作部３７および本体起動制御部３９を備えている。操作部３７は、ユーザに操作される構成であり、スイッチ、ボタン、ダイアル等を備えてよい。電源オン操作および電源オフ操作も操作部に対して行われる。
【００３５】
本体起動制御部３９は、操作部３７への電源オン操作に従って起動制御を行う構成である。具体的には、本体起動制御部３９は機械的スイッチであり、操作部３７への電源オン操作（起動操作）をＣＰＵ部３３に伝えるように設けられている。
【００３６】
さらに、機器制御装置７は、電源制御装置５を制御するために、第１電源制御装置制御部４１および第２電源制御装置制御部４３を備えている。
【００３７】
第１電源制御装置制御部４１は、機器制御部であるＣＰＵ部３３により制御されて、電源制御装置５を制御する構成である。ＣＰＵ部３３は、操作部３７に対して電源オフ操作が行われたときに、クーリング対象機器にクーリングを行わせるとともに、クーリングの終了を判断する。クーリングが終了したと判断されたときに、第１電源制御装置制御部４１が、電源制御装置５に電源の供給停止を指示する。
【００３８】
一方、第２電源制御装置制御部４３は、操作部３７への操作に応じて電源制御装置５を制御する構成である。操作部３７に対して電源オン操作が行われたときに、第２電源制御装置制御部４３が、電源制御装置５に電源の供給開始を指示する。
【００３９】
上記において、第１電源制御装置制御部４１は、機器制御部であるＣＰＵ部３３により制御される電気的構成を有している。この電気的構成は、例えば、後述するようにトランジスタである。この制御により、操作部３７への操作に応答して瞬時に電源供給を停止しなくてもよく、時間をおいてからの電源停止制御が可能である。したがって、クーリング終了を待ってから電源供給を停止する制御を好適に実現できる。
【００４０】
一方、第２電源制御装置制御部４３は、操作部３７への操作に応じて機械的に動作する機械的構成を有している。この機械的構成は、例えば、操作部３７へのボタン操作に応じて機械的に接点が開閉するスイッチである。この制御は、パッシブ制御であり、電源が不要である。したがって、機器制御装置７へのＡＣ電源の供給が無い状態でも、第２電源制御装置制御部４３は電源供給開始の指示の信号を電源制御装置５へ出力できる。第２電源制御装置制御部４３の電気的構成は、例えば、操作部３７へのボタン操作に応じて機械的に開閉するスイッチである。
【００４１】
以上に図１を参照して機器制御装置７の構成を説明した。本実施の形態の機器制御装置７は、例えば、プロジェクタ制御機能を持ったＡＶコントローラである。ＡＶコントローラは、ビデオプロジェクタ３の他に、ＡＶ機器、ライン接続機器、マイク等と接続されてよい。また、ＡＶコントローラは、プロジェクタ以外の映像表示器、例えばディスプレイ装置とも接続されてよい。ＡＶコントローラは、ＡＶ機器等から入力される映像をプロジェクタおよび他の映像表示器から出力する。このようなＡＶコントローラに、本実施の形態の電源制御の構成を設けることにより、機器制御装置７として機能させることができる。
【００４２】
次に、図２および図３は、上記の電源制御関連の構成に対応する回路構成の好適な例を示している。また、図２には、電源オフ時のシーケンスが示されており、図３には、電源オン時のシーケンスが示されている。
【００４３】
図２および図３において、制御ＣＰＵ５１は図１のＣＰＵ部３３に相当し、トランジスタ５３が第１電源制御装置制御部４１に相当し、通電スイッチ５５が第２電源制御装置制御部４３に相当する。
【００４４】
トランジスタ５３は、ベースが制御ＣＰＵ５１に接続され、コレクタが外部機器制御端子５７に接続され、エミッタが接地されている。トランジスタ５３はスイッチとして機能し、制御ＣＰＵ５１に制御されてオンオフする。
【００４５】
通電スイッチ５５は、操作部３７に対する電源オンオフ操作に従って開閉する。通電スイッチ５５の一端は接地されており、他端は制御ＣＰＵ５３および外部機器制御端子５７に接続されている。より詳細には、図示のように通電スイッチ５５からの線とトランジスタ５３から線が合流し、それから外部機器制御端子５７へ接続されている。これにより、通電スイッチ５５とトランジスタ５３が共に外部機器接続端子５７に接続されている。
【００４６】
外部機器制御端子５７は、電源制御装置５と接続される。外部機器制御端子５７からＨｉ信号が出力されると、電源制御装置５では電源供給が停止される。Ｌｏ信号が出力されると、電源供給が開始される。すなわち、Ｈｉ信号が電源供給停止の指示に相当し、Ｌｏ信号が電源供給開始の指示に相当する。
【００４７】
また、ＲＳ２３２Ｃ接続部５９は、制御送受信部３５を構成している。制御ＣＰＵ５１は、ＲＳ２３２Ｃ接続部５９を介してプロジェクタ３と制御関連の情報を通信する。
【００４８】
次に、図２を参照し、上記構成による電源オフのシーケンスを説明する。（１）まず、操作部への電源オフ操作によって通電スイッチ５５が開かれ、同部位の電位がＨｉになる。このとき、トランジスタ５３がオンであり、外部機器制御端子５７はトランジスタ５３を介して接地されており、外部機器制御端子５７の出力信号はＬｏである。したがって、この時点ではまだ電源制御装置５は停止されない。（２）通電スイッチ５５がＨｉになると、制御ＣＰＵ５１がクーリング開始（電源オフ）の命令をＲＳ２３２Ｃ経由でプロジェクタ３へ送る。（３）プロジェクタ３がクーリングを開始する。（４）制御ＣＰＵ５１は、クーリング終了の問合わせを定期的にプロジェクタ３に送る。（５）クーリングが終了すると、クーリング完了通知が制御ＣＰＵ５１に受信される。（６）制御ＣＰＵ５１は、トランジスタ５３をオフにする。これにより、トランジスタ５３のコレクタ電位がＬｏからＨｉに切り替わる。（７）トランジスタ５３がＨｉであり、通電スイッチ５５もＨｉなので、外部機器制御端子５７の出力信号もＨｉになる。このＨｉ信号が電源制御装置５へ出力され、電源制御装置５では、ＡＣ供給制御部２３がＡＣ供給部２１を制御して電源供給を停止する。
【００４９】
次に、図３を参照し、電源オンのシーケンスを説明する。（１）操作部への電源オフ操作により通電スイッチ５５が閉じられ、同部位の電位がＬｏになる。（２）通電スイッチ５５がＬｏになると、外部機器制御端子５７の出力信号がＬｏになる。このＬｏ信号が電源制御装置５へ出力され、電源制御装置５では、ＡＣ供給制御部２３がＡＣ供給部２１を制御して電源供給を開始する。
【００５０】
次に、図４および図５を参照し、本実施の形態に係る機器制御装置７の動作を説明する。
【００５１】
図４は、電源オフ時の動作を示している。操作部３７に対して電源オフ操作が行われると、機器制御装置７はオフモードへ移行する（Ｓ１）。なお、電源オフ操作が行われると、機械的構成である第２電源制御装置制御部４３はオフ制御状態になるが、第１電源制御装置制御部４１がオン制御状態のままである（なお、第２電源制御装置制御部４３のオフ制御状態は図２の通電スイッチ５５の開状態と対応し、第１電源制御装置制御部４１のオン制御状態は図２のトランジスタ５３のオン状態と対応する）。そのため、この段階ではまだ、電源制御装置５はオフにならず、電源制御装置５からのＡＣ電源の供給もこの段階では止まらない。
【００５２】
ＣＰＵ部３３は、オフモードへ移行すると、プロジェクタ３へクーリング開始指示を送る（Ｓ３）。クーリング開始指示は、制御送受信部３５を介してプロジェクタ３へと送られる。プロジェクタ３では、クーリング開始指示が制御送受信部１１からＣＰＵ部１３に送られ、ＣＰＵ部１３はクーリングを開始する。
【００５３】
ＣＰＵ部３３は、クーリング指示を送った後、定期的にクーリング終了か否かの問合せをプロジェクタ３へ送る。プロジェクタ３は、クーリングが完了すると、クーリング完了回答を機器制御装置７へと送る。クーリング完了回答は、制御送受信部１１、制御送受信部３５を経てＣＰＵ部３３に送られる。ＣＰＵ部３３は、プロジェクタ３からクーリング完了回答を受信すると、クーリングが終了したと判断する（Ｓ５）。
【００５４】
クーリングが終了したと判断すると、ＣＰＵ部３３は、第１電源制御装置制御部４１を制御して電源供給停止を指示する。この指示に応えて、第１電源制御装置制御部４１が、電源制御装置５に電源供給停止指示信号（ＡＣ供給停止命令）を送る（Ｓ７）。この電源供給停止指示に応えて、電源制御装置５がＡＣ電源の供給を停止する。このとき、電源制御装置５のＡＣ供給制御部２３がＡＣ供給部２１を制御して電源供給を停止する。これにより、機器制御装置７およびプロジェクタ３へのＡＣ電源の供給が停止する（Ｓ９）。
【００５５】
図５は、電源オン時の動作を示している。操作部３７に対して電源オン操作が行われると、機器制御装置７はオンモードへ移行する（Ｓ１１）。このとき、操作部３７に対して電源オン操作が行われたので、第２電源制御装置制御部４３が電源制御装置５のオン制御を行う（Ｓ１３）。ここでは、第２電源制御装置制御部４３が、電源供給開始指示信号（ＡＣ供給開始命令）を電源制御装置５へと送る。この電源供給開始指示に応えて、電源制御装置５がＡＣ電源の供給を開始する（Ｓ１５）。電源制御装置５では、ＡＣ供給制御部２３がＡＣ供給部２１を制御して電源供給を開始させる。これにより、電源制御装置５は、プロジェクタ３および機器制御装置７への電源供給を開始する。ＡＣ電源の供給を受けることにより、プロジェクタ３および機器制御装置７が起動する（Ｓ１７）。
【００５６】
上記のように、本実施の形態では、機器制御装置７が電源制御装置５から電源供給を受ける。さらに、電源制御装置５を制御するために、第１電源制御装置制御部４１と第２電源制御装置制御部４３といった２つの制御部が設けられている。
【００５７】
ここで、本実施の形態において、仮に第２電源制御装置制御部４３が設けられていたとする。第２電源制御装置制御部４３は機械的構成によるパッシブ制御を行う構成であり、プロジェクタ３の状態を判別して電源制御装置５を制御するといったことはできない。一方、第１電源制御装置制御部４１だけが設けられていたとすると、機器制御装置７への電源供給を停止した後の再起動ができなくなる。
【００５８】
そこで、本実施の形態の機器制御装置７は、電源制御装置５を制御する構成として、第１電源制御装置制御部４１と第２電源制御装置制御部４３の両方を備えている。第１電源制御装置制御部４１はＣＰＵ部３３と共に機能して電源制御装置５に対するＣＰＵ制御を実現し、クーリング後に電源制御装置５に電源供給を停止させ、これにより機器制御装置７自信への電源供給も遮断する。第２電源制御装置制御部４３は、上述したように操作部３７への操作に応じた機械的動作を行い、電源が不要なパッシブ制御により電源遮断状態からの機器制御装置７の起動を実現する。これら第１電源制御装置制御部４１の系統の制御（ＣＰＵ制御）と第２電源制御装置制御部４３の系統の制御（パッシブ制御、通電スイッチ（電源スイッチ）制御）といった２つの制御が、論理的にORの関係で電源制御装置５に対して行われる。これにより、クーリング期間中の機器制御装置へのＡＣ電源供給と、ＡＣ電源遮断後の機器制御装置の起動との両方を成立させながら、電源オフの時に機器制御装置７への電力供給を停止できる。
【００５９】
また、上述したように、本実施の形態では、機器制御装置７がプロジェクタ３と通信し、クーリング完了を確認してからＡＣ電源を遮断する。したがって、プロジェクタ３のクーリング完了前にＡＣ電源供給が停止することがなく、また、クーリング完了後もしばらくＡＣ電源供給が継続することもない。
【００６０】
ただし、本発明の範囲内で、上記の問合せが行われなくてもよい。例えば、ＣＰＵ部３３がタイマを使用して、クーリング開始からの時間を計測してよい。そして、予め定められたクーリング期間が経過すると、ＣＰＵ部３３が第１電源制御装置制御部４１に電源供給停止指示の信号を出力させてよい。この構成は、クーリング完了タイミングの判定精度の点では不利であるが、処理を簡単にできる。
【００６１】
また、上記の実施の形態の例では、機器制御装置７と電源制御装置５が別体であった。しかし、本発明の範囲内で、電源制御装置５が機器制御装置７に内蔵されてよく、これにより、機器制御装置７と電源制御装置５が一体化されてよい。この場合も上述の機器制御装置７および電源制御装置５の各種構成が設けられて、上記の電源オンおよび電源オフの好適な制御が行われる。
【００６２】
以上に本発明の実施の形態に係る機器制御装置７について説明した。本実施の形態によれば、機器制御装置７の電源部３１が、電源制御装置５から電源供給を受けるように電源制御装置５に接続される。電源オフ操作に応じて機器制御部がクーリング対象機器にクーリングを行わせる（上記の例では機器制御部、クーリング対象機器がそれぞれＣＰＵ部３３、プロジェクタ３であった）。そして、クーリングの終了が判断されたとき、第１電源制御装置制御部４１が電源制御装置５に電源の供給停止を指示すると、機器制御装置７自身への電源供給が停止する。その後、操作部３７に対して電源オン操作が行われたときに、第２電源制御装置制御部４３が電源制御装置５に電源の供給開始を指示すると、機器制御装置７自身への電源供給も開始される。このような構成により、クーリング期間中の電源供給と、電源遮断後の機器制御装置７の起動とを両方とも成り立たせながら、電源オフの時に機器制御装置７への電力供給を停止できる。これにより、電源が供給されたスタンバイ状態で機器制御装置７を待機させるのと比べて電力消費量が低減する。また、手動の電源オン／オフ制御装置を別途追加することも不要である。したがって、簡単な構成でもって、電源オフの時に機器制御装置７への電源供給を遮断して、電力消費を低減できる。
【００６３】
また、本実施の形態において、第２電源制御装置制御部４３は、操作部３７への電源オン操作に応じて機械的に動作することによって電源の供給開始指示の信号を生成する機械的構成を有している。この機械的構成は例えば図２の通電スイッチ５５である。この構成により、第２電源制御装置制御部４３が機械的構成を有しているので、機器制御装置７への電源供給が停止している状態でも、電源オン操作に応じて電源の供給開始の指示を電源制御装置５に出力できる。したがって、電源遮断状態から機器制御装置７自身への電源供給を開始でき、電源遮断後の起動が可能になる。
【００６４】
また、本実施の形態において、第１電源制御装置制御部４１は、クーリング対象機器（プロジェクタ３）のクーリングが行われた後に機器制御部（ＣＰＵ部３３）からの制御に応じて電気的に動作することによって電源の供給停止指示の信号を生成する電気的構成を有している。この電気的構成は、例えば図２のトランジスタ５３である。この構成により、第１電源制御装置制御部４１が、機器制御部に制御される電気的構成を有している。したがって、瞬時に電源制御装置５を停止するのではなく、クーリング対象機器でのクーリングを経てから電源制御装置５を自動停止するといった制御を好適に実現することができる。
【００６５】
さらに、本実施の形態では、上記の第１電源制御装置制御部４１の電気的構成と第２電源制御装置制御部４３の機械的構成の両方が備えられている。前者がクーリングオフ後の電源停止制御を行い、後者が電源遮断状態からの起動のための電源供給開始制御を行う。したがって、これらの制御の両方を成り立たせながら、電源オフ時に電源供給を遮断できる機器制御装置を好適に実現することできる。
【００６６】
また、本実施の形態において、機器制御部（ＣＰＵ部３３）は、クーリング対象機器（プロジェクタ３）と通信してクーリング終了の問い合わせを行い、クーリング対象機器からクーリング終了が通知されたときにクーリングが終了したと判断する。この構成により、クーリング完了を確認してから電源供給が遮断される。したがって、クーリング完了前に電源制御装置５からクーリング対象機器への電源供給が停止することを防止でき、また、クーリング完了後もしばらく電源供給が継続することも防止でき、したがって電力消費を好適に低減できる。
【００６７】
また、本実施の形態においては、図２および図３の例に示されたように、機器制御装置７が、電源制御装置５へと電源の供給開始指示および供給停止指示の信号を出力する外部機器制御信号出力部を備え、機器制御部は、電気的処理によってクーリング対象機器を制御するプロセッサを有しており、第１電源制御装置制御部４１は、プロセッサによりクーリング終了側に切り替えられる電気的スイッチを有し、第２電源制御装置制御部４３は、操作部への電源オン操作および電源オフ操作に応じてオン操作側およびオフ操作側に機械的に切り替わる機械的スイッチを有し、外部機器制御信号出力部は、機械的スイッチがオフ操作側に切り替わり、電気的スイッチがクーリング終了側に切り替わると、電源供給停止指示に対応した第１制御信号を出力し、機械的スイッチがオン操作側に切り替わると、電源供給開始指示に対応した第２制御信号を出力する。ここで、上記の外部機器制御信号出力部、プロセッサ、電気的スイッチおよび機械的スイッチは、図２および図３の外部機器制御端子５７、制御ＣＰＵ５１、トランジスタ５３および通電スイッチ５５と対応する。また、電気的スイッチは外部機器制御信号出力部に接続されており、機械的スイッチは、プロセッサおよび外部機器制御信号出力部に接続されていた。また、電気的スイッチのクーリング終了側は、トランジスタ５３のオフ側に対応する。また、機械的スイッチのオン操作側およびオフ操作側は、通電スイッチ５５の「閉」および「開」とそれぞれ対応する。さらに、第１制御信号（電源供給停止）および第２制御信号（電源供給開始）は、図２および図３の回路では、異なる電位の信号であり、それぞれ、Ｈｉ信号およびＬｏ信号であった。上記の構成によれば、電気的スイッチおよび機械的スイッチを備えた簡単な構成により、第１電源制御装置制御部および第２電源制御装置制御部を備えた機器制御装置７を実現でき、クーリング期間中の機器制御装置７への電源供給と、電源遮断後の機器制御装置７の起動との両方を成り立たせながら、電源オフの時に機器制御装置７への電力供給を停止でき、電力消費を低減することができる。
【００６８】
また、本実施の形態では、電源制御装置５が機器制御装置７に内蔵されてよい。この構成により、機器制御装置７を含む機器制御システム１の構成を簡素化でき、コンパクトにできる。
【００６９】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００７０】
以上のように、本発明にかかる機器制御装置は、簡単な構成でもって、電源オフの時に機器制御装置への電力供給を停止でき、電力消費を低減することができるという効果を有し、プロジェクタ等の機器制御装置として有用である。
【図面の簡単な説明】
【００７１】
【図１】本発明の実施の形態における機器制御装置を含む機器制御システムのブロック図
【図２】本発明の実施の形態における電源制御のための回路構成を電源オフのシーケンスとともに示す図
【図３】本発明の実施の形態における電源制御のための回路構成を電源オンのシーケンスとともに示す図
【図４】本発明の実施の形態における機器制御装置の電源オフ時の動作を示すフロー図
【図５】本発明の実施の形態における機器制御装置の電源オン時の動作を示すフロー図
【図６】従来の機器制御装置を含む機器制御システムのブロック図
【符号の説明】
【００７２】
１  機器制御システム
３  プロジェクタ
５  電源制御装置
７  機器制御装置
２１  ＡＣ供給部
２３  ＡＣ供給制御部
３１  電源部
３３  ＣＰＵ部
３５  制御送受信部
３７  操作部
３９  本体起動制御部
４１  第１電源制御装置制御部
４３  第２電源制御装置制御部
５１  制御ＣＰＵ
５３  トランジスタ
５５  通電スイッチ
５７  外部機器制御端子
【図１】
2009065335.tif 000003
【図２】
2009065335.tif 000004
【図３】
2009065335.tif 000005
【図４】
2009065335.tif 000006
【図５】
2009065335.tif 000007
【図６】
2009065335.tif 000008